(57)【要約】【課題】複数のカメラで映し出す画像を、時分割で各カメラ毎の画像に切替えて記録媒体に記録する監視カメラシステムにおいて、記録した画像を再生する際に、全チャンネルの画像を再生することなく、画像検索に時間がかからない監視カメラシステムを提供する。【解決手段】監視カメラを特定するための映像信号情報を重畳した映像信号を生成し、該生成した映像信号から映像信号情報を検知して、映像信号をカメラ毎に分類して記録媒体に記録する。【選択図】      図１
2004254244.tif 000002
【特許請求の範囲】
【請求項１】
複数のカメラで映し出す画像を、時分割で各カメラ毎の画像に切替えて記録媒体に記録する監視カメラシステムにおいて、
切替えたカメラを特定するための映像信号情報を重畳させた映像信号を生成する映像信号生成手段と、
上記映像信号生成手段で生成した映像信号から、上記映像信号情報を検知する情報検知手段と、
上記情報検知手段で検知した映像信号情報から、上記映像信号を、該カメラ毎に分類して記録媒体に記録する制御手段とを備えた、
ことを特徴とする監視カメラシステム。
【請求項２】
請求項１に記載の監視カメラシステムにおいて、
上記映像信号生成手段は、上記映像信号情報を、ＶＢＩ（Ｖｅｒｔｉｃａｌ  Ｂｌａｎｋｉｎｇ  Ｉｎｔｅｒｖａｌ）に重畳させたものである、
ことを特徴とする監視カメラシステム。
【請求項３】
請求項２に記載の監視カメラシステムにおいて、
上記ＶＢＩは、上記映像信号情報としてカメラチャンネル番号が重畳され、該カメラチャンネル番号に関連付けて該ＶＢＩの総ライン数を変更されたものであり、
上記情報検知手段は、上記ＶＢＩの総ライン数に対応して、切替えられたカメラチャンネル番号を検知するものである、
ことを特徴とする監視カメラシステム。
【請求項４】
請求項２に記載の監視カメラシステムにおいて、
上記ＶＢＩは、上記映像信号情報として、該ＶＢＩ中の特定ラインまたは複数ラインにカメラチャンネル番号を示すビットが重畳されたものであり、
上記情報検知手段は、上記ビットから、切替えられたカメラチャンネル番号を検知するものである、
ことを特徴とする監視カメラシステム。
【請求項５】
請求項２に記載の監視カメラシステムにおいて、
上記ＶＢＩは、上記映像信号情報として、該ＶＢＩ中の特定ラインまたは複数ラインにカメラチャンネルの名称を示すキャラクタデータが重畳されたものであり、
上記情報検知手段は、切替えられたカメラチャンネルのキャラクタデータを検知するものである、
ことを特徴とする監視カメラシステム。
【請求項６】
請求項１ないし５のいずれかに記載の監視カメラシステムにおいて、
上記制御手段は、上記カメラチャンネル番号または上記キャラクタデータに対応するフォルダを上記記録媒体内に生成し、該各フォルダにカメラチャンネル番号またはキャラクタデータ毎の画像を記録するものである、
ことを特徴とする監視カメラシステム。
【請求項７】
請求項６に記載の監視カメラシステムにおいて、
上記制御手段は、上記カメラチャンネル番号または上記キャラクタデータが検出されない画像を記録する場合、外部カメラ用フォルダを生成し、該フォルダに上記カメラチャンネル番号または上記キャラクタデータ以外の画像を記録するものである、
ことを特徴とする監視カメラシステム。
【請求項８】
請求項７に記載の監視カメラシステムにおいて、
上記外部カメラ用フォルダは、緊急時に特別に接続されるカメラ映像を記録するものである、
ことを特徴とする監視カメラシステム。
【請求項９】
請求項１ないし８のいずれかに記載の監視カメラシステムにおいて、
上記複数のカメラで映し出す画像の切替りを検出する切替り検出手段と、
画像を一時的に記録するバッファメモリとを備え、
該検出した切替りのタイミングと画像の記録タイミングとが不一致で画像が記録されない場合、上記バッファメモリに記録した画像を記録する、
ことを特徴とする監視カメラシステム。
【請求項１０】
請求項９に記載の監視カメラシステムにおいて、
上記バッファメモリに記録する画像は、カメラチャンネルが切替った直後の画像である、
ことを特徴とする監視カメラシステム。
【請求項１１】
請求項１ないし１０のいずれかに記載の監視カメラシステムにおいて、
上記記録媒体に記録する画像は、ＪＰＥＧを使用したものである、
ことを特徴とする監視カメラシステム。
【請求項１２】
複数のカメラで映し出す画像を、時分割で各カメラ毎に切替えて記録媒体に記録する監視カメラシステムの画像記録再生方法において、
切替えたカメラを特定するための映像信号情報を重畳させた映像信号を生成し、
該生成した映像信号から上記映像信号情報を検知し、該映像信号を、上記カメラ毎に分類して記録媒体に記録する、
ことを特徴とする監視カメラシステムの画像記録再生方法。
【請求項１３】
請求項１２に記載の監視カメラシステムの画像記録再生方法において、
上記映像信号は、上記映像信号情報を、ＶＢＩ（Ｖｅｒｔｉｃａｌ  Ｂｌａｎｋｉｎｇ  Ｉｎｔｅｒｖａｌ）に重畳させて生成するものである、
ことを特徴とする監視カメラシステムの画像記録再生方法。
【請求項１４】
請求項１３に記載の監視カメラシステムの画像記録再生方法において、
上記映像信号情報として、カメラチャンネル番号を上記ＶＢＩに重畳して、該カメラチャンネル番号に関連付けて該ＶＢＩの総ライン数を変更させ、
上記ＶＢＩの総ライン数をカウントして該カメラチャンネル番号を検出する、
ことを特徴とする監視カメラシステムの画像再生方法。
【請求項１５】
請求項１３に記載の監視カメラシステムの画像記録再生方法において、
上記映像信号として、上記ＶＢＩ中の特定ラインまたは複数ラインにカメラチャンネル番号を示すビットを重畳させ、
上記ビットから、上記切替えられたカメラチャンネル番号を検知する、
ことを特徴とする監視カメラシステムの画像記録再生方法。
【請求項１６】
請求項１３に記載の監視カメラシステムの画像記録再生方法において、
上記映像信号情報として、上記ＶＢＩ中の特定ラインまたは複数ラインにカメラチャンネルの名称を示すキャラクタデータを重畳させ、
該切替えられたカメラチャンネルのキャラクタデータを検知する、
ことを特徴とする監視カメラシステムの画像記録再生方法。
【請求項１７】
請求項１２ないし１６のいずれかに記載の監視カメラシステムの画像記録再生方法において、
上記記録媒体内に、上記カメラチャンネル番号または上記キャラクタデータに対応するフォルダを生成し、
該各フォルダに、上記カメラチャンネル番号またはキャラクタデータ毎の画像を記録する、
ことを特徴とする監視カメラシステムの画像記録再生方法。
【請求項１８】
請求項１７に記載の監視カメラシステムの画像記録再生方法において、
上記カメラチャンネル番号または上記キャラクタデータ以外の画像を記録する場合、外部カメラ用フォルダを生成し、該フォルダに記録する、
ことを特徴とする監視カメラシステムの画像記録再生方法。
【請求項１９】
請求項１８に記載の監視カメラシステムの画像記録再生方法において、
緊急時に特別に接続されるカメラ映像を、上記外部カメラ用フォルダに記録する、
ことを特徴とする監視カメラシステムの画像記録再生方法。
【請求項２０】
請求項１７ないし１９のいずれかに記載の監視カメラシステムの画像記録再生方法において、
上記各フォルダに記録した画像を、該フォルダ毎に再生する、
ことを特徴とする監視カメラシステムの画像記録再生方法。
【請求項２１】
請求項１２ないし１９のいずれかに記載の監視カメラシステムの画像記録再生方法において、
上記複数の監視カメラチャンネルの切替えタイミングと画像データの記録タイミングとの不一致で、画像データが記録されない場合に、バッファリングしておいた該画像データを記録する、
ことを特徴とする監視カメラシステムの画像記録再生方法。
【請求項２２】
請求項２１に記載の監視カメラシステムの画像記録再生方法において、
上記バッファリングする画像は、カメラチャンネルが切り替わった直後の画像である、
ことを特徴とする監視カメラシステムの画像記録再生方法。
【請求項２３】
請求項１２ないし２２のいずれかに記載の監視カメラシステムの画像記録再生方法において、
記録媒体に記録する画像として、ＪＰＥＧを使用する、
ことを特徴とする監視カメラシステムの画像記録再生方法。
【発明の詳細な説明】
【０００１】
【発明の属する技術分野】
本発明は、小規模店舗及び家庭等において顧客、訪問客等の監視を行う監視カメラシステム、及びその画像記録再生方法に関し、特に、複数のカメラの画像を、時分割で各チャンネル毎に切替えて記録媒体に記録する監視カメラシステム、及び画像記録再生方法に関するものである。
【０００２】
【従来の技術】
従来、監視カメラシステムは、複数台の監視カメラ、カメラを切替える切替スイッチャ機器、映像を記録する記録機、モニタから構成される（例えば特許文献１参照）。
【０００３】
ここでは、複数の機器で構成される従来の監視カメラシステムについて説明する。図６は従来の監視システムの記録部の構成を示す図である。図において、従来の監視カメラシステムは、複数の監視カメラ６０１と、複数の監視カメラの映像を時分割に１つの映像信号として出力する切替スイッチャ機器６０２と、入力したアナログ信号をデジタル化、及びデジタル化した映像信号をアナログ化して出力するＡＤ／ＤＡ変換部６０４、入力した画像データを圧縮、及び圧縮した画像データを伸張して出力する圧縮伸張部６０５、画像データを記録する記録媒体６０６、及び記録機全体を制御する制御部６０７からなり、監視カメラ映像の記録処理を行う記録機６０３と、映像を映し出すモニタ機器６０８とから構成される。
【０００４】
複数の監視カメラ６０１から得られた映像信号は切替スイッチャ機器６０２に入力されて順次切替えられる。切替えられた複数のカメラ映像は時分割に１つの映像信号として記録機６０３側に出力される。記録機６０３において、記録時には入力されたアナログ信号はＡＤ／ＤＡ変換部６０４でデジタル化され、圧縮伸張部６０５で圧縮され記録媒体６０６に記録される。再生時には、記録媒体部に静止画として記録されているファイルを記録した順に読み出し、圧縮伸張部で伸張した後ＡＤ／ＤＡ変換部に入力し、アナログ信号に変換してモニタ機器６０８へ出力される。
【０００５】
【特許文献１】
特開平１１−３３１８２２号公報（図２）
【０００６】
【発明が解決しようとする課題】
しかしながら、従来の構成では、記録機側には、切替えたカメラ映像が出力されるのみで、該切替えたカメラチャンネルの全チャンネルがそのまま記録され、そのために、使用者が再生したい特定のカメラチャンネルの画像を検索する際に、全チャンネルの画像を再生する必要があり、画像検索に時間がかかるという問題点があった。
【０００７】
本発明は上記問題を解決するために為されたものであり、記録した画像を再生する際に、全チャンネルの画像を再生することなく、画像検索に時間がかからない監視カメラシステム、及びその画像記録再生方法を提供することを目的とする。
【０００８】
【課題を解決するための手段】
上記問題を解決するために本発明の請求項１に記載の監視カメラシステムは、複数のカメラで映し出す画像を、時分割で各カメラ毎の画像に切替えて記録媒体に記録する監視カメラシステムにおいて、切替えたカメラを特定するための映像信号情報を重畳させた映像信号を生成する映像信号生成手段と、上記映像信号生成手段で生成した映像信号から、上記映像信号情報を検知する情報検知手段と、上記情報検知手段で検知した映像信号情報から、上記映像信号を、該カメラ毎に分類して記録媒体に記録する制御手段とを備えたものである。
【０００９】
これにより、時分割で切替えた複数の監視カメラの画像を、カメラ毎に記録することができ、再生時に、全チャンネルの画像を再生することなく、画像検索に時間のかからない監視カメラシステムを提供することができる。
【００１０】
また、本発明の請求項２に記載の監視カメラシステムは、請求項１に記載の監視カメラシステムにおいて、上記映像信号生成手段は、上記映像信号情報を、ＶＢＩ（Ｖｅｒｔｉｃａｌ  Ｂｌａｎｋｉｎｇ  Ｉｎｔｅｒｖａｌ）に重畳させたものである。
【００１１】
これにより、特別な外部Ｉ／Ｆを使用することなく、時分割で切替えた複数の監視カメラの画像を、カメラ毎に記録することができる。
【００１２】
また、本発明の請求項３に記載の監視カメラシステムは、請求項２に記載の監視カメラシステムにおいて、上記ＶＢＩは、上記映像信号情報として、カメラチャンネル番号が重畳され、該カメラチャンネル番号に関連付けて該ＶＢＩの総ライン数を変更されたものであり、上記情報検知手段は、上記ＶＢＩの総ライン数に対応して、切替えられたカメラチャンネル番号を検知するものである。
【００１３】
これにより、特別な外部Ｉ／Ｆを使用することなく、ＶＢＩのライン数の変化を用いて、時分割に切替えた複数の監視カメラの画像を、カメラ毎に記録することができる。
【００１４】
また、本発明の請求項４に記載の監視カメラシステムは、請求項２に記載の監視カメラシステムにおいて、上記ＶＢＩは、上記映像信号情報として、該ＶＢＩ中の特定ラインまたは複数ラインにカメラチャンネル番号を示すビットが重畳されたものであり、上記情報検知手段は、上記ビットから、切替えられたカメラチャンネル番号を検知するものである。
【００１５】
これにより、特別な外部Ｉ／Ｆを使用することなく、ＶＢＩ中のビットを用いて、時分割に切替えた複数の監視カメラの画像を、カメラ毎に記録することができる。
【００１６】
また、本発明の請求項５に記載の監視カメラシステムは、請求項２に記載の監視カメラシステムにおいて、上記ＶＢＩは、上記映像信号情報として、該ＶＢＩ中の特定ラインまたは複数ラインにカメラチャンネルの名称を示すキャラクタデータが重畳されたものであり、上記情報検知手段は、切替えられたカメラチャンネルのキャラクタデータを検知するものである。
【００１７】
これにより、特別な外部Ｉ／Ｆを使用することなく、キャラクタデータを用いて、時分割に切替えた複数の監視カメラの画像を、カメラ毎に記録することができる。
【００１８】
また、本発明の請求項６に記載の監視カメラシステムは、請求項１ないし５のいずれかに記載の監視カメラシステムにおいて、上記制御手段は、上記カメラチャンネル番号または上記キャラクタデータに対応するフォルダを上記記録媒体内に生成し、該各フォルダにカメラチャンネル番号またはキャラクタデータ毎の画像を記録するものである。
【００１９】
これにより、カメラチャンネル番号またはキャラクタデータ毎の画像を再生することができ、全チャンネルの画像を再生することなく、画像検索に時間のかからない監視カメラシステムを提供することができる。
【００２０】
また、本発明の請求項７に記載の監視カメラシステムは、請求項６に記載の監視カメラシステムにおいて、上記制御手段は、上記カメラチャンネル番号または上記キャラクタデータが検出されない画像を記録する場合、外部カメラ用フォルダを生成し、該フォルダに上記カメラチャンネル番号または上記キャラクタデータ以外の画像を記録するものである。
【００２１】
これにより、カメラチャンネルが検出できる画像とカメラチャンネルが検出できない画像とが混在する場合でも、カメラ毎にフォルダを生成して、該フォルダ毎に画像を記録再生することができる。
【００２２】
また、本発明の請求項８に記載の監視カメラシステムは、請求項７に記載の監視カメラシステムにおいて、上記外部カメラ用フォルダは、緊急時に特別に接続されるカメラ映像を記録するものである。
【００２３】
これにより、緊急時に接続した映像を記録再生することができる。
【００２４】
また、本発明の請求項９に記載の監視カメラシステムは、請求項１ないし８のいずれかに記載の監視カメラシステムにおいて、上記複数のカメラで映し出す画像の切替りを検出する切替り検出手段と、画像を一時的に記録するバッファメモリとを備え、該検出した切替りのタイミングと画像の記録タイミングとが不一致で該画像が記録されない場合、上記バッファメモリに記録した画像を記録するものである。
【００２５】
これにより、記録されないカメラチャンネルの画像が発生するのを防ぐことができる。
【００２６】
また、本発明の請求項１０に記載の監視カメラシステムは、請求項９に記載の監視カメラシステムにおいて、上記バッファメモリに記録する画像は、切替った直後の画像であるものとしたものである。
【００２７】
これにより、切替り時の画像を記録することができる。
【００２８】
また、本発明の請求項１１に記載の監視カメラシステムは、請求項１ないし１０のいずれかに記載の監視カメラシステムにおいて、上記記録媒体に記録する画像は、ＪＰＥＧを使用したものである。
【００２９】
これにより、画像を圧縮して記録することができる。
【００３０】
また、本発明の請求項１２に記載の監視カメラシステムの画像記録再生方法は、複数のカメラで映し出す画像を、時分割で各カメラ毎に切替えて記録媒体に記録する監視カメラシステムの画像記録再生方法において、切替えたカメラを特定するための映像信号情報を重畳させた映像信号を生成し、該生成した映像信号から上記映像信号情報を検知し、該映像信号を、上記カメラ毎に分類して記録媒体に記録するものである。
【００３１】
これにより、時分割で切替えた複数の監視カメラの画像を、カメラ毎に記録することができ、再生時の検索速度を向上させることができる。
【００３２】
また、本発明の請求項１３に記載の監視カメラシステムの画像記録再生方法は、請求項１２に記載の監視カメラシステムの画像記録再生方法において、上記映像信号は、上記映像信号情報を、ＶＢＩ（Ｖｅｒｔｉｃａｌ  Ｂｌａｎｋｉｎｇ  Ｉｎｔｅｒｖａｌ）に重畳させて生成するものである。
【００３３】
これにより、特別な外部Ｉ／Ｆを使用することなく、時分割で切替えた複数の監視カメラの画像を、カメラ毎に記録することができる。
【００３４】
また、本発明の請求項１４に記載の監視カメラシステムの画像記録再生方法は、請求項１３に記載の監視カメラシステムの画像記録再生方法において、上記映像信号情報として、カメラチャンネル番号を上記ＶＢＩに重畳して、該カメラチャンネル番号に関連付けて該ＶＢＩの総ライン数を変更させ、上記ＶＢＩの総ライン数をカウントして該カメラチャンネル番号を検出するものである。
【００３５】
これにより、特別な外部Ｉ／Ｆを使用することなく、ＶＢＩのライン数の変化を用いて、時分割に切替えた複数の監視カメラの画像を、カメラ毎に記録することができる。
【００３６】
また、本発明の請求項１５に記載の監視カメラシステムの画像記録再生方法は、請求項１３に記載の監視カメラシステムの画像記録再生方法において、上記映像信号として、上記ＶＢＩ中の特定ラインまたは複数ラインにカメラチャンネル番号を示すビットを重畳させ、上記ビットから、上記切替えられたカメラチャンネル番号を検知するものである。
【００３７】
これにより、特別な外部Ｉ／Ｆを使用することなく、ＶＢＩ中のビットを用いて、時分割に切替えた複数の監視カメラの画像を、カメラ毎に記録することができる。
【００３８】
また、本発明の請求項１６に記載の監視カメラシステムの画像記録再生方法は、請求項１３に記載の監視カメラシステムの画像記録再生方法において、上記映像信号情報として、上記ＶＢＩ中の特定ラインまたは複数ラインにカメラチャンネルの名称を示すキャラクタデータを重畳させ、該切替えられたカメラチャンネルのキャラクタデータを検知するものである。
【００３９】
これにより、特別な外部Ｉ／Ｆを使用することなく、キャラクタデータを用いて、時分割に切替えた複数の監視カメラの画像を、カメラ毎に記録することができる。
【００４０】
また、本発明の請求項１７に記載の監視カメラシステムの画像記録再生方法は、請求項１２ないし１６のいずれかに記載の監視カメラシステムの画像記録再生方法において、上記記録媒体内に、上記カメラチャンネル番号または上記キャラクタデータに対応するフォルダを生成し、該各フォルダに、上記カメラチャンネル番号またはキャラクタデータ毎の画像を記録するものである。
【００４１】
これにより、カメラチャンネル番号またはキャラクタデータ毎の画像の再生をすることで、再生時の検索速度を向上させることができる。
【００４２】
また、本発明の請求項１８に記載の監視カメラシステムの画像記録再生方法は、請求項１７に記載の監視カメラシステムの画像記録再生方法において、上記カメラチャンネル番号または上記キャラクタデータ以外の画像を記録する場合、外部カメラ用フォルダを生成し、該フォルダに記録するものである。
【００４３】
これにより、カメラチャンネルが検出できる画像とカメラチャンネルが検出できない画像とが混在する場合でも、カメラ毎にフォルダを生成して、該フォルダ毎に画像を記録再生することができる。
【００４４】
また、本発明の請求項１９に記載の監視カメラシステムの画像記録再生方法は、請求項１８に記載の監視カメラシステムの画像記録再生方法において、緊急時に特別に接続されるカメラ映像を、上記外部カメラ用フォルダに記録するものである。
【００４５】
これにより、緊急時に接続した映像を記録再生することができる。
【００４６】
また、本発明の請求項２０に記載の監視カメラシステムの画像記録再生方法は、請求項１７ないし１９のいずれかに記載の監視カメラシステムの画像記録再生方法において、上記各フォルダに記録した画像を、該フォルダ毎に再生するものである。
【００４７】
これにより、再生時の検索速度を向上させることができる。
【００４８】
また、本発明の請求項２１に記載の監視カメラシステムの画像記録再生方法は、請求項１２ないし１９のいずれかに記載の監視カメラシステムの画像記録再生方法において、上記複数の監視カメラチャンネルの切替えタイミングと画像データの記録タイミングとの不一致で、画像データが記録されない場合に、バッファリングしておいた該画像データを記録するものである。
【００４９】
これにより、記録されないカメラチャンネルの画像が発生するのを防ぐことができる。
【００５０】
また、本発明の請求項２２に記載の監視カメラシステムの画像記録再生方法は、請求項２１に記載の監視カメラシステムの画像記録再生方法において、上記バッファリングする画像は、カメラチャンネルが切り替わった直後の画像であるものとしたものである。
【００５１】
これにより、切替り時の画像を記録することができる。
【００５２】
また、本発明の請求項２３に記載の監視カメラシステムの画像記録再生方法は、請求項１２ないし２２のいずれかに記載の監視カメラシステムの画像記録再生方法において、記録媒体に記録する画像として、ＪＰＥＧを使用するものである。
【００５３】
これにより、画像を圧縮して記録することができる。
【００５４】
【発明の実施の形態】
（実施の形態１）
以下に、本発明の実施の形態について図面を用いて説明する。
【００５５】
図１は本発明の実施の形態１における監視カメラシステムの構成図である。図において、１０１は、複数の監視カメラであり、本実施の形態１において、Ｎ個とする。１０２は複数の監視カメラからの映像を切替え、１つの映像信号として記録機１０４に出力する切替スイッチャ機器であり、本実施の形態１において、該切替えた映像信号に、切替えたカメラを特定するための映像信号情報を重畳させる映像信号生成部（映像信号生成手段）１０３が備えられている。ＡＤ／ＤＡ変換部１０５は、入力処理回路、Ａ／Ｄ変換器（ＮＴＳＣ  Ｄｅｃｏｄｅｒ）、Ｄ／Ａ変換器（ＮＴＳＣ  Ｅｎｃｏｄｅｒ）、ラインカウンタ回路、出力処理回路等から構成され、入力された映像信号のＡ／Ｄ変換及び、出力する映像信号のＤ／Ａ変換を行う。また、映像と音声信号が入力される場合は、映像信号、音声信号用にそれぞれ処理回路が準備される。また、圧縮伸張部１０６では映像信号の圧縮が行われる。圧縮方式はＪＰＥＧを使用して行われる。記録媒体１０７は、ハードディスクドライブ、及びＡＴＡ  Ｉ／Ｆ回路から構成され、画像及び音声の記録に使用される。制御部１０８は、ＣＰＵ、システムメモリなどから構成され、記録機１０４内の各デバイスの制御、記録媒体１０７へのデータ転送等を行っている。出力端子１１０は映像用出力端子、音声用出力端子から構成され、それぞれ映像信号、音声信号が出力される。ユーザＩ／Ｆ１０９はボタン、スイッチ、リモコン受光部等から構成され、記録レート設定等ユーザの操作に使用される。
【００５６】
以上のように構成された監視カメラシステムについて、以下にその動作を説明する。
【００５７】
まず、記録再生を行う際の通常の動作について説明する。記録時、映像及び音声の少なくとも一つからなる信号が記録機１０４に入力される。ＡＤ／ＤＡ変換部１０５では、各信号に対して入力処理と、Ａ／Ｄ変換が行われ、圧縮伸張部１０６に送られる。映像のデジタルデータは圧縮伸張部１０６により圧縮され、ＪＰＥＧデータが出力される。音声は圧縮を行わず、バッファリングされる。制御部１０８は得られたＪＰＥＧデータ、及び音声ＰＣＭデータを記録媒体１０７に転送して記録を行う。ここで、ＪＰＥＧ圧縮のタイミングは制御部１０８により設定された記録レートに合わせて制御され、圧縮されないフレームは捨てられることになる。映像の記録レートは最大で３０枚／秒である。音声データは８ＫＨｚ、８ビットＰＣＭでサンプリングを行い、入力されたものが全てバッファリングされ、記録される。基本的に映像信号は切替を行い、全チャンネルの画像を時分割で記録するが、音声は特定のチャンネルのみの記録を想定している。
【００５８】
再生時には、記録媒体１０７から、記録されているＪＰＥＧデータ、音声ＰＣＭデータを読み出し、圧縮伸張部１０６に転送して伸張処理を行う。伸張された映像データ、及び読み出された音声データは、ＡＤ／ＤＡ変換部１０５に送られ、それぞれアナログ信号に変換される。各信号は出力端子１１０から出力される。
【００５９】
次に、カメラチャンネル毎の記録再生を行う際の動作について説明を行う。
【００６０】
まず、切替スイッチャ機器１０２内の映像信号生成部１０３で生成する映像信号について説明する。
【００６１】
記録機１０４に入力される映像信号は、前段の切替スイッチャ機器１０２から入力される複数のカメラ１０１を時分割で順次切替えられた映像信号を、映像信号生成部１０３で下記のように生成したものである。切替スイッチャ機器１０２に接続可能なカメラ台数をＮとし、各接続端子に接続されるカメラを順番にＣｈ１〜ＣｈＮとする。切替スイッチャ機器１０２では、Ｃｈ１からＣｈＮの映像信号を順次切替えて出力し、映像信号生成部１０３でその映像信号に、映像信号情報としてチャンネル番号を重畳させて出力する。重畳方法は、ＶＢＩ（Ｖｅｒｔｉｃａｌ  Ｂｌａｎｋｉｎｇ  Ｉｎｔｅｒｖａｌ）の総ライン数の変化を使用して行われ、チャンネル番号を重畳していない場合を２１本とし、Ｃｈ１の映像信号を重畳する場合、ＶＢＩの総ライン数を通常よりも１本少ない２０本として出力する。Ｃｈ２の場合は１９本とし、以下各チャンネル番号に応じて同様の映像信号が出力される。ここで、ＶＢＩはテレビ信号における垂直帰先消去期間である。
【００６２】
次に、上記映像信号生成部１０３で生成した映像信号が記録機１０４に入力されると、記録機１０４内のＡＤ／ＤＡ変換部１０５でデジタル化された後、ＡＤ／ＤＡ変換部１０５内のラインカウンタ回路（図示せず）でＶＢＩライン数をカウントし、制御部１０８（情報検知手段）にて、該ライン数に応じたカメラチャンネル番号を取得する。制御部１０８ではカメラチャンネル番号を取得した場合、記録媒体１０７にカメラチャンネル番号に応じたフォルダを生成し記録を行う。既にフォルダが生成されている場合は該当フォルダへ画像の書き込みを行う。
【００６３】
そして、記録した画像の再生を行う場合には、該当するチャンネルのフォルダ内の画像データを再生することにより、カメラチャンネルごとの再生が可能となる。
【００６４】
次に、カメラ情報取得の際に、カメラ番号が検出されない映像を入力した場合、及び混在した場合における処理を説明する。
【００６５】
上記のように、入力された映像にカメラチャンネル番号を検出することができた場合は、自動的にカメラチャンネル番号ごとにフォルダを生成し記録するが、カメラチャンネル番号が検出できない場合は、カメラチャンネル番号無しの映像として上記フォルダとは別の外部カメラ用フォルダを生成し、該検出できない映像を該外部カメラ用フォルダに順次記録していく。例えば、カメラチャンネル番号がない映像として、緊急用の接続端子から入力される緊急映像を記録できる。この緊急用映像としては、家庭用ビデオカメラ等である。
【００６６】
また、このとき、カメラチャンネル番号の検出のＯＮ／ＯＦＦモードを設けて、ユーザＩ／Ｆ１０９により外部カメラ用フォルダへ記録するか否かを設定することも可能である。
【００６７】
また、記録機１０４の入力端子（図示せず）を通常の入力端子と緊急用入力端子とから構成させることにより、該緊急用入力端子には通常記録に使用される固定式のカメラ以外の緊急時用の家庭用カメラ等が接続できる。このとき、両端子から入力された映像は、ＡＤ／ＤＡ変換部１０５内の入力処理回路（図示せず）で時分割に切替られ、それぞれ記録される。このように、カメラ情報を重畳した映像信号、及びカメラ情報が重畳されていない映像信号が混在した場合においても、各フォルダで記録を行うことが可能で、また使用者によりカメラ情報検出を行うかどうか設定を行うことが可能となる。
【００６８】
以上のように、本発明の実施の形態１によれば、切替スイッチャ機器１０２内の映像信号生成部１０３で、映像信号中のＶＢＩにカメラ番号を重畳させて総ライン数を変更させた映像信号を生成し、該映像信号からカメラチャンネル番号を検出して、記録媒体１０７内に、該カメラチャンネル毎のフォルダを生成することにより、カメラチャンネル毎に記録を行うことが可能となり、再生時にカメラチャンネル毎の再生を行うことができ、再生時の画像の検索を迅速に行うことができる。
【００６９】
なお、本発明の実施の形態１では、記録媒体１０７にハードディスクを用いたが、その他の磁気ディスク、光磁気ディスク、光ディスク及び半導体メモリを使用してもよい。
【００７０】
また、本発明の実施の形態１では、映像信号の圧縮フォーマットとしてＪＰＥＧを使用したが、他の画像フォーマットを使用してもよい。
【００７１】
（実施の形態２）
本発明の実施の形態２に係る監視カメラシステムは、再生時の画像データの検索を迅速に行うために、ＶＢＩ中の特定ラインまたは複数ラインにカメラチャンネル番号を示すビットを挿入し、記録機内で該ビットからカメラチャンネル番号を検出して該カメラチャンネル毎のフォルダに記録するものである。
【００７２】
以下に、本発明の実施の形態２について説明する。
基本構成、及び画像記録再生の基本動作については、実施の形態１と同様であるので、異なる点のみ説明を行う。図において実施の形態１と異なる点は映像データ取得部（情報検知手段）２０１が追加されている点である。
【００７３】
次に、本実施の形態で特徴となる、映像信号からカメラチャンネル番号を取得する際の動作について説明する。
【００７４】
まず、本実施の形態２における映像信号生成部１０３で生成する信号について説明する。
【００７５】
記録機１０４に入力される映像信号は、前段の切替スイッチャ機器１０２から入力される複数のカメラ１０１を時分割で順次切替えられた映像信号を、映像信号生成部１０３で下記のように生成したものである。
【００７６】
映像信号生成部１０３では、切替スイッチャ機器から入力される映像信号に、映像信号情報として、図３（ａ）で示すようなフォーマットでカメラチャンネル番号を重畳する。図において、開始コード３０１は、データの開始を示し、特定のコードが常に挿入される。ここでは１０１０￥ｂとする。カメラチャンネル番号データ３０２は４ビットのフォーマットで００００：Ｃｈ１、１１１１：Ｃｈ１６を表現する。このデータはＶＢＩ中の１ラインに挿入される。ここでは、第１９ラインへ挿入とする。
【００７７】
上記フォーマットのデータが挿入された映像信号が記録機１０４に入力され、映像データ取得部２０１により特定ラインの開始コードが検出されると、映像データ取得部２０１はカメラチャンネル番号データを取得し、制御部１０８にカメラチャンネル情報の通知を行う。制御部１０８では、通知されたカメラチャンネル番号に応じたフォルダを生成し、対応する画像データの記録を行う。
【００７８】
既にフォルダが生成されている場合は該当フォルダへ画像データの書き込みを行う。
【００７９】
そして、記録した画像データの再生を行う場合には、該当するチャンネルのフォルダ内の画像データを再生することにより、カメラチャンネルごとの再生が可能となる。
【００８０】
また、上記に述べたカメラチャンネル番号を示すビットに代えて図３（ｂ）に示すようなカメラチャンネルの名称を示すキャラクタデータ３０３が挿入された映像信号の場合は同様に映像データ取得部で開始コード３０１、（ここでは、０１０１￥ｂとする。）を検出した後、キャラクタデータ３０３を取得し、データを制御部１０８に通知して、該当するフォルダを生成し記録を行う。また、キャラクタデータは１ラインに２バイト重畳でき、複数ラインを使用することにより、取得できるキャラクタ数を増加することが可能となる。このとき、取得するデータは先に取得したキャラクタデータからバッファリングされていき、最終的に得られたデータが制御部１０８に通知される。
【００８１】
また、カメラ情報取得の際に、カメラ番号が検出されない映像を入力した場合、及び混在した場合における処理は実施の形態１と同様、緊急用の別フォルダを生成する。このとき、映像データ取得部２０１でカメラ情報が検出できる場合は、制御部１０８に情報が通知され、カメラチャンネルに対応するフォルダを生成して記録を行うが、検出できない場合は、カメラ情報無しの映像を記録する別フォルダを生成し、順次記録を行っていく。ここで、通常用の入力端子からの映像であるか、緊急用の入力端子からの映像であるかは制御部１０８により判別することができるので、緊急用端子からの画像については、同一フォルダに記録でき、カメラ単位で再生を行うことができる。
【００８２】
以上のように、本発明の実施の形態２によれば、映像信号生成部１０３で、映像信号のＶＢＩ中にカメラチャンネル情報を示すビットまたはキャラクタデータを重畳させて、該映像信号から、カメラチャンネル番号またはキャラクタデータを検出することにより、カメラチャンネルごとに記録を行うことが可能となり、カメラチャンネルごとの再生を行うことができ、再生時の検索が迅速に行うことができる。
【００８３】
なお、本発明の実施の形態２では、記録媒体１０７にハードディスクを用いたが、その他の磁気ディスク、光磁気ディスク、光ディスク及び半導体メモリを使用してもよい。
【００８４】
また、本発明の実施の形態２では、圧縮するフォーマットとしてＪＰＥＧを使用したが、他の画像フォーマットを使用してもよい。
【００８５】
また、本発明の実施の形態２では、カメラチャンネル情報の重畳にＶＢＩ中の１ラインを使用したが、複数ラインを使用してもよい。
【００８６】
（実施の形態３）
本発明の実施の形態３に係る監視カメラシステムは、記録されないカメラの画像が発生するのを防ぐために、カメラの切替わりを検出して、該切替りのタイミングと画像の記録タイミングとが不一致の場合、バッファリングしておいた画像を記録するものである。
【００８７】
以下に、本発明の実施の形態３について図４、図５を用いて説明する。図４において実施の形態２と異なる点は入力映像の切替りを検出する切替検出部４０１、画像を一時的に記録するバッファメモリ４０２、及び切替の検出を示すフラグとして、切替フラグが制御部１０８の内部に追加されている点である。
【００８８】
複数の機器で構成される監視カメラシステムでは、スイッチャの切替タイミングと記録機の記録タイミングは、機器ごとに設定される。例えば、切替スイッチャ機器の設定として、２台のカメラを接続しチャンネル切替は１０秒間隔で切替を行う設定をし、記録機の設定として記録の間隔は３枚／分（２０秒間隔）で記録を行う設定にした場合、記録機側で入力された映像信号の取り込みタイミングが、切替のタイミングと適合していないので、記録を行えないチャンネルが発生する。そのため、本実施の形態３では切替った直後の映像信号を通常使用する映像記録用とは別のバッファメモリ４０２に取り込んでおき、記録間隔と切替間隔が合わず記録されない時に、バッファリングしておいた切替直後の画像を記録する。
【００８９】
基本構成、及び画像記録再生の基本動作については、実施の形態１と同様であるので、異なる点のみ説明を行う。
【００９０】
切替検出部４０１では、入力された映像信号の水平、垂直同期をカウントし、水平、垂直同期の乱れにより、映像信号の切替を検出する。以下、図５のフローチャートを参照し説明を行う。
【００９１】
まず、ステップＳ５０２で入力された映像信号において、切替の検出があった場合、切替フラグの状態を判別する（ステップＳ５０３）。切替フラグが０の場合、切替フラグを１に設定する（ステップＳ５０４）。切替フラグが１の場合、通常記録が１枚も行われなかったものとして、別領域にバッファリングされていた切替直後の画像を記録する（ステップＳ５０５）。ステップＳ５０４、ステップＳ５０５の動作終了後、切替直後の最初の１フレームを通常使用するメモリとは別領域にバッファリングしておく（ステップＳ５０６）。通常記録時には、画像を記録すると共に、切替フラグを０に初期化する（ステップＳ５０１）。
【００９２】
以上のように、本発明の実施の形態３に係る監視カメラシステムは、切替検出部４０１で映像信号の切替を検出し、該切替タイミングと画像の記録タイミングとが不一致の場合、バッファメモリ４０２に記録しておいた切替直後の最初の画像を記録媒体１０７に記録するので、切替間隔と記録間隔との差により記録できない画像が発生することを防ぐことができ、カメラチャンネルの切替ごとに最低１枚は記録できる。
【００９３】
なお、本発明の実施の形態３では、記録媒体１０７にハードディスクを用いたが、その他の磁気ディスク、光磁気ディスク、光ディスク及び半導体メモリを使用してもよい。
【００９４】
また、本発明の実施の形態３では、圧縮するフォーマットとしてＪＰＥＧを使用したが、他の画像フォーマットを使用してもよい。
【００９５】
【発明の効果】
以上のように、本発明の請求項１に係る監視カメラシステムによれば、複数のカメラで映し出す画像を、時分割で各カメラ毎の画像に切替えて記録媒体に記録する監視カメラシステムにおいて、切替えたカメラを特定するための映像信号情報を重畳させた映像信号を生成する映像信号生成手段と、上記映像信号生成手段で生成した映像信号から、上記映像信号情報を検知する情報検知手段と、上記情報検知手段で検知した映像信号情報から、上記映像信号を、該カメラ毎に分類して記録媒体に記録する制御手段とを備えたので、時分割で切替えた複数の監視カメラの画像を、カメラ毎に記録することができ、再生時に、全チャンネルの画像を再生することなく、画像検索に時間のかからない監視カメラシステムを提供できる効果がある。
【００９６】
また、本発明の請求項２に係る監視カメラシステムによれば、請求項１に記載の監視カメラシステムにおいて、上記映像信号生成手段は、上記映像信号情報を、ＶＢＩ（Ｖｅｒｔｉｃａｌ  Ｂｌａｎｋｉｎｇ  Ｉｎｔｅｒｖａｌ）に重畳させたものであるので、特別な外部Ｉ／Ｆを使用することなく、時分割で切替えた複数の監視カメラの画像を、カメラ毎に記録することができる効果がある。
【００９７】
また、本発明の請求項３に係る監視カメラシステムによれば、請求項２に記載の監視カメラシステムにおいて、上記ＶＢＩは、上記映像信号情報として、カメラチャンネル番号が重畳され、該カメラチャンネル番号に関連付けて該ＶＢＩの総ライン数を変更されたものであり、上記情報検知手段は、上記ＶＢＩの総ライン数に対応して、切替えられたカメラチャンネル番号を検知するものであるので、特別な外部Ｉ／Ｆを使用することなく、ＶＢＩのライン数の変化を用いて、時分割に切替えた複数の監視カメラの画像を、カメラ毎に記録することができる効果がある。
【００９８】
また、本発明の請求項４に係る監視カメラシステムによれば、請求項２に記載の監視カメラシステムにおいて、上記ＶＢＩは、上記映像信号情報として、該ＶＢＩ中の特定ラインまたは複数ラインにカメラチャンネル番号を示すビットが重畳されたものであり、上記情報検知手段は、上記ビットから、切替えられたカメラチャンネル番号を検知するものであるので、特別な外部Ｉ／Ｆを使用することなく、ＶＢＩ中のビットを用いて、時分割に切替えた複数の監視カメラの画像を、カメラ毎に記録することができる効果がある。
【００９９】
また、本発明の請求項５に係る監視カメラシステムによれば、請求項２に記載の監視カメラシステムにおいて、上記ＶＢＩは、上記映像信号情報として、該ＶＢＩ中の特定ラインまたは複数ラインにカメラチャンネルの名称を示すキャラクタデータが重畳されたものであり、上記情報検知手段は、切替えられたカメラチャンネルのキャラクタデータを検知するものであるので、特別な外部Ｉ／Ｆを使用することなく、キャラクタデータを用いて、時分割に切替えた複数の監視カメラの画像を、カメラ毎に記録することができる効果がある。
【０１００】
また、本発明の請求項６に係る監視カメラシステムによれば、請求項１ないし５のいずれかに記載の監視カメラシステムにおいて、上記制御手段は、上記カメラチャンネル番号または上記キャラクタデータに対応するフォルダを上記記録媒体内に生成し、該各フォルダにカメラチャンネル番号またはキャラクタデータ毎の画像を記録するものであるので、カメラチャンネル番号またはキャラクタデータ毎の画像を再生することができ、全チャンネルの画像を再生することなく、画像検索に時間のかからない監視カメラシステムを提供することができる効果がある。
【０１０１】
また、本発明の請求項７に係る監視カメラシステムによれば、請求項６に記載の監視カメラシステムにおいて、上記制御手段は、上記カメラチャンネル番号または上記キャラクタデータが検出されない画像を記録する場合、外部カメラ用フォルダを生成し、該フォルダに上記カメラチャンネル番号または上記キャラクタデータ以外の画像を記録するものであるので、カメラチャンネルが検出できる画像とカメラチャンネルが検出できない画像とが混在する場合でも、カメラ毎にフォルダを生成して、該フォルダ毎に画像を記録再生することができる効果がある。
【０１０２】
また、本発明の請求項８に係る監視カメラシステムによれば、請求項７に記載の監視カメラシステムにおいて、上記外部カメラ用フォルダは、緊急時に特別に接続されるカメラ映像を記録するものであるので、緊急時に接続した映像を記録再生することができる効果がある。
【０１０３】
また、本発明の請求項９に係る監視カメラシステムによれば、請求項１ないし８のいずれかに記載の監視カメラシステムにおいて、上記複数のカメラで映し出す画像の切替りを検出する切替り検出手段と、画像を一時的に記録するバッファメモリとを備え、該検出した切替りのタイミングと画像の記録タイミングとが不一致で該画像が記録されない場合、上記バッファメモリに記録した画像を記録するので、記録されないカメラチャンネルの画像が発生するのを防ぐことができる効果がある。
【０１０４】
また、本発明の請求項１０に係る監視カメラシステムによれば、請求項９に記載の監視カメラシステムにおいて、上記バッファメモリに記録する画像は、切替った直後の画像であるものとしたので、切替り時の画像を記録することができる効果がある。
【０１０５】
また、本発明の請求項１１に係る監視カメラシステムによれば、請求項１ないし１０のいずれかに記載の監視カメラシステムにおいて、上記記録媒体に記録する画像は、ＪＰＥＧを使用したものであるので、画像を圧縮して記録することができる効果がある。
【０１０６】
また、本発明の請求項１２に係る監視カメラシステムの画像記録再生方法によれば、複数のカメラで映し出す画像を、時分割で各カメラ毎に切替えて記録媒体に記録する監視カメラシステムの画像記録再生方法において、切替えたカメラを特定するための映像信号情報を重畳させた映像信号を生成し、該生成した映像信号から上記映像信号情報を検知し、該映像信号を、上記カメラ毎に分類して記録媒体に記録するので、時分割で切替えた複数の監視カメラの画像を、カメラ毎に記録することができ、再生時の検索速度を向上させることができる効果がある。
【０１０７】
また、本発明の請求項１３に係る監視カメラシステムの画像記録再生方法によれば、請求項１２に記載の監視カメラシステムの画像記録再生方法において、上記映像信号は、上記映像信号情報を、ＶＢＩ（Ｖｅｒｔｉｃａｌ  Ｂｌａｎｋｉｎｇ  Ｉｎｔｅｒｖａｌ）に重畳させて生成するものであるので、特別な外部Ｉ／Ｆを使用することなく、時分割で切替えた複数の監視カメラの画像を、カメラ毎に記録することができる効果がある。
【０１０８】
また、本発明の請求項１４に係る監視カメラシステムの画像記録再生方法によれば、請求項１３に記載の監視カメラシステムの画像記録再生方法において、上記映像信号情報として、カメラチャンネル番号を上記ＶＢＩに重畳して、該カメラチャンネル番号に関連付けて該ＶＢＩの総ライン数を変更させ、上記ＶＢＩの総ライン数をカウントして該カメラチャンネル番号を検出するので、特別な外部Ｉ／Ｆを使用することなく、ＶＢＩのライン数の変化を用いて、時分割に切替えた複数の監視カメラの画像を、カメラ毎に記録することができる効果がある。
【０１０９】
また、本発明の請求項１５に係る監視カメラシステムの画像記録再生方法によれば、請求項１３に記載の監視カメラシステムの画像記録再生方法において、上記映像信号として、上記ＶＢＩ中の特定ラインまたは複数ラインにカメラチャンネル番号を示すビットを重畳させ、上記ビットから、上記切替えられたカメラチャンネル番号を検知するので、特別な外部Ｉ／Ｆを使用することなく、ＶＢＩ中のビットを用いて、時分割に切替えた複数の監視カメラの画像を、カメラ毎に記録することができる効果がある。
【０１１０】
また、本発明の請求項１６に係る監視カメラシステムの画像記録再生方法によれば、請求項１３に記載の監視カメラシステムの画像記録再生方法において、上記映像信号情報として、上記ＶＢＩ中の特定ラインまたは複数ラインにカメラチャンネルの名称を示すキャラクタデータを重畳させ、該切替えられたカメラチャンネルのキャラクタデータを検知するので、特別な外部Ｉ／Ｆを使用することなく、キャラクタデータを用いて、時分割に切替えた複数の監視カメラの画像を、カメラ毎に記録することができる効果がある。
【０１１１】
また、本発明の請求項１７に係る監視カメラシステムの画像記録再生方法によれば、請求項１２ないし１６のいずれかに記載の監視カメラシステムの画像記録再生方法において、上記記録媒体内に、上記カメラチャンネル番号または上記キャラクタデータに対応するフォルダを生成し、該各フォルダに、上記カメラチャンネル番号またはキャラクタデータ毎の画像を記録するので、カメラチャンネル番号またはキャラクタデータ毎の画像の再生をすることで、再生時の検索速度を向上させることができる効果がある。
【０１１２】
また、本発明の請求項１８に係る監視カメラシステムの画像記録再生方法によれば、請求項１７に記載の監視カメラシステムの画像記録再生方法において、上記カメラチャンネル番号または上記キャラクタデータ以外の画像を記録する場合、外部カメラ用フォルダを生成し、該フォルダに記録するので、カメラチャンネルが検出できる画像とカメラチャンネルが検出できない画像とが混在する場合でも、カメラ毎にフォルダを生成して、該フォルダ毎に画像を記録再生することができる効果がある。
【０１１３】
また、本発明の請求項１９に係る監視カメラシステムの画像記録再生方法によれば、請求項１８に記載の監視カメラシステムの画像記録再生方法において、緊急時に特別に接続されるカメラ映像を、上記外部カメラ用フォルダに記録するので、緊急時に接続した映像を記録再生することができる効果がある。
【０１１４】
また、本発明の請求項２０に係る監視カメラシステムの画像記録再生方法によれば、請求項１７ないし１９のいずれかに記載の監視カメラシステムの画像記録再生方法において、上記各フォルダに記録した画像を、該フォルダ毎に再生するので、再生時の検索速度を向上させることができる効果がある。
【０１１５】
また、本発明の請求項２１に係る監視カメラシステムの画像記録再生方法によれば、請求項１２ないし１９のいずれかに記載の監視カメラシステムの画像記録再生方法において、上記複数の監視カメラチャンネルの切替えタイミングと画像データの記録タイミングとの不一致で、画像データが記録されない場合に、バッファリングしておいた該画像データを記録するので、記録されないカメラチャンネルの画像が発生するのを防ぐことができる効果がある。
【０１１６】
また、本発明の請求項２２に係る監視カメラシステムの画像記録再生方法によれば、請求項２１に記載の監視カメラシステムの画像記録再生方法において、上記バッファリングする画像は、カメラチャンネルが切り替わった直後の画像であるものとしたので、切替り時の画像を記録することができる効果がある。
【０１１７】
また、本発明の請求項２３に係る監視カメラシステムの画像記録再生方法によれば、請求項１２ないし２２のいずれかに記載の監視カメラシステムの画像記録再生方法において、記録媒体に記録する画像として、ＪＰＥＧを使用するので、画像を圧縮して記録することができる効果がある。
【図面の簡単な説明】
【図１】本発明の実施の形態１に係る監視カメラシステムの構成図を示したものである。
【図２】本発明の実施の形態２に係る監視カメラシステムの構成図を示したものである。
【図３】本発明の本実施の形態２におけるカメラチャンネル情報のデータフォーマットを示す図である。
【図４】本発明の実施の形態３に係る監視カメラシステムの構成図を示したものである。
【図５】本実施の形態３における監視カメラシステムの切替検出時の動作を説明するフローチャートである。
【図６】従来の監視カメラシステムにおける記録部を説明するためのシステム構成図である。
【符号の説明】
１０１，６０１  監視カメラ
１０２，６０２  切替スイッチャ機器
１０３，  映像信号生成部
１０４，６０３  記録機
１０５，６０４  ＡＤ／ＤＡ変換部
１０６，６０５  圧縮伸張部
１０７，６０６  記録媒体
１０８，６０７  制御部
１０９  ユーザＩ／Ｆ
１１０  出力端子
２０１  映像データ取得部
３０１  開始コード
３０２  カメラチャンネル番号データ
３０３  キャラクタデータ
４０１  切替検出部
４０２  バッファメモリ
６０８  モニタ機器
【図１】
2004254244.tif 000003
【図２】
2004254244.tif 000004
【図３】
2004254244.tif 000005
【図４】
2004254244.tif 000006
【図５】
2004254244.tif 000007
【図６】
2004254244.tif 000008